(57)【要約】【課題】二枚の足場板を容易に連結または分離できるとともに、二枚の足場板を略平坦に連結できる足場板用連結具を提供する。【解決手段】足場板用連結具１は、二枚の足場板５０，５０の連結方向にスライド可能な状態で、両足場板５０，５０の下面側に組み付けられる接続部材１０と、両足場板５０，５０の上面にそれぞれ配置される二つの取付具２０，２０と、取付具２０の貫通穴に挿通される取付ねじ３０と、を備えている。接続部材１０の上面には、取付ねじ３０が螺合される二つのねじ穴１５，１５が形成されている。一方のねじ穴１５を一方の足場板５０の開口部５４の直下に配置したときに、他方のねじ穴１５が他方の足場板５０の開口部５４の直下に配置されるように、両ねじ穴１５，１５の間隔が設定されている。【選択図】図３
2020084594.tif 000002
【特許請求の範囲】
【請求項１】
二枚の足場板を連結するための足場板用連結具であって、
前記両足場板の連結方向にスライド可能な状態で、前記両足場板の下面側に組み付けられる接続部材と、
前記両足場板の上面にそれぞれ配置される二つの取付具と、
前記取付具の貫通穴に挿通される取付ねじと、を備え、
前記接続部材の上面には、前記取付ねじが螺合される二つのねじ穴が形成され、
一方の前記ねじ穴を一方の前記足場板の開口部の直下に配置したときに、他方の前記ねじ穴が他方の前記足場板の開口部の直下に配置されるように、前記両ねじ穴の間隔が設定されていることを特徴とする足場板用連結具。
【請求項２】
二枚の足場板を連結するための足場板用連結具であって、
前記両足場板の連結方向にスライド可能な状態で、前記両足場板の下面側に組み付けられる接続部材と、
前記両足場板の上面に配置される取付具と、
前記取付具の貫通穴に挿通される取付ねじと、を備え、
前記接続部材の上面には、ねじ穴が形成されており、
前記取付ねじは、前記足場板の開口部を通じて、前記ねじ穴に螺合されることを特徴とする足場板用連結具。
【請求項３】
請求項１または請求項２に記載の足場板用連結具であって、
前記接続部材の上面には差込穴が形成されており、
前記ねじ穴を前記足場板の前記開口部の直下に配置したときに、前記差込穴が前記足場板の前記開口部の直下に配置されるように、前記ねじ穴と前記差込穴との位置関係が設定されていることを特徴とする足場板用連結具。
【請求項４】
請求項１から請求項３のいずれか一項に記載の足場板用連結具であって、
前記足場板は、
前記開口部が形成された踏み板と、
前記踏み板の両側縁部から垂れ下がった左右の側板と、を備え、
前記接続部材は、前記両側板の間に配置され、
前記接続部材の左右方向の幅は、前記両側板の内面の間隔よりも小さいことを特徴とする足場板用連結具。
【請求項５】
二枚の足場板を足場板用連結具を用いて連結する足場板の連結構造であって、
前記足場板用連結具は、
前記両足場板の連結方向にスライド可能な状態で、前記両足場板の下面側に組み付けられた接続部材と、
前記両足場板の上面にそれぞれ配置された二つの取付具と、
前記取付具の貫通穴に挿通された取付ねじと、を備え、
前記接続部材の上面には、二つのねじ穴が形成され、
一方の前記ねじ穴は、一方の前記足場板の開口部の直下に配置されるとともに、
他方の前記ねじ穴は、他方の前記足場板の開口部の直下に配置されており、
前記取付ねじは、前記足場板の前記開口部を通じて、前記接続部材の前記ねじ穴に螺合されていることを特徴とする足場板の連結構造。
【発明の詳細な説明】
【技術分野】
【０００１】
本発明は、足場板用連結具および足場板の連結構造に関する。
【背景技術】
【０００２】
シールドトンネルの施工現場では、複数の足場板を連結することで、作業足場を形成している。シールドトンネルの施工現場において二枚の足場板を連結するときには、枕木やブラケットの上方に設置するため、足場板の上方から作業できることが必要となる。また、二枚の足場板を連結部において確実に固定する必要がある。さらに、測量や作業内容に応じて、連続した複数の足場板から中間の一枚のみを撤去できる必要がある。
【０００３】
そして、二枚の足場板の連結構造としては、角筒状の連結具に両足場板の端部を差し込み、連結具の網目に上方から差し込んだピンを足場板の穴部に差し込むことで、連結具を両足場板に固定しているものがある（例えば、特許文献１参照）。
【先行技術文献】
【特許文献】
【０００４】
【特許文献１】特開２０１１−１６９０１２号公報
【発明の概要】
【発明が解決しようとする課題】
【０００５】
二枚の足場板を連結したときに、その連結部が平坦であることが好ましいが、前記した従来の連結構造では、連結部の全幅に亘って、足場板と連結具との間に段差が形成されるという問題がある。
【０００６】
本発明は、前記した問題を解決し、二枚の足場板を上方から容易かつ確実に連結できるとともに、連続した複数の足場板から中間の一枚のみを撤去することができ、さらに、二枚の足場板を略平坦に連結できる足場板用連結具および足場板の連結構造を提供することを課題とする。
【課題を解決するための手段】
【０００７】
前記課題を解決するため、第一の発明は、二枚の足場板を連結するための足場板用連結具である。前記足場板用連結具は、前記両足場板の連結方向にスライド可能な状態で、前記両足場板の下面側に組み付けられる接続部材と、前記両足場板の上面にそれぞれ配置される二つの取付具と、前記取付具の貫通穴に挿通される取付ねじと、を備えている。前記接続部材の上面には、前記取付ねじが螺合される二つのねじ穴が形成されている。一方の前記ねじ穴を一方の前記足場板の開口部の直下に配置したときに、他方の前記ねじ穴が他方の前記足場板の開口部の直下に配置されるように、前記両ねじ穴の間隔が設定されている。
【０００８】
前記課題を解決するため、第二の発明は、二枚の足場板を足場板用連結具を用いて連結する足場板の連結構造である。前記足場板用連結具は、前記両足場板の連結方向にスライド可能な状態で、前記両足場板の下面側に組み付けられた接続部材と、前記両足場板の上面にそれぞれ配置された二つの取付具と、前記取付具の貫通穴に挿通された取付ねじと、を備えている。前記接続部材の上面には、二つのねじ穴が形成されている。一方の前記ねじ穴は、一方の前記足場板の開口部の直下に配置されるとともに、他方の前記ねじ穴は、他方の前記足場板の開口部の直下に配置されている。前記取付ねじは、前記足場板の前記開口部を通じて、前記接続部材の前記ねじ穴に螺合されている。
【０００９】
前記課題を解決するため、第三の発明は、二枚の足場板を連結するための足場板用連結具である。前記足場板用連結具は、前記両足場板の連結方向にスライド可能な状態で、前記両足場板の下面側に組み付けられる接続部材と、前記両足場板の上面に配置される取付具と、前記取付具の貫通穴に挿通される取付ねじと、を備えている。前記接続部材の上面には、ねじ穴が形成されており、前記取付ねじは、前記足場板の開口部を通じて、前記ねじ穴に螺合される。
【００１０】
第一の発明、第二の発明および第三の発明では、接続部材を二枚の足場板の下面側に跨って配置し、取付具および取付ねじによって接続部材を両足場板に固定することで、両足場板を上方から容易かつ確実に連結できる。そして、接続部材が二枚の足場板に跨って配置されているため、足場板が連結部において上下方向に動くのを防ぐことができる。
また、第一の発明、第二の発明および第三の発明では、取付具および取付ねじを接続部材から取り外し、接続部材を片方の足場板側にスライドさせることで、両足場板を容易に分離できる。これにより、連続した複数の足場板から中間の一枚のみを撤去できる。
【００１１】
第一の発明、第二の発明および第三の発明では、足場板の上面に配置する取付具を小さくできるため、両足場板を略平坦に連結できる。これにより、作業者が作業足場を通行するときの安全性を高めることができる。
【００１２】
前記した足場板用連結具において、前記接続部材の上面に差込穴を形成し、前記ねじ穴を前記足場板の前記開口部の直下に配置したときに、前記差込穴が前記足場板の前記開口部の直下に配置されるように、前記ねじ穴と前記差込穴との位置関係を設定することが好ましい。
【００１３】
この構成では、棒状の工具の先端部を足場板の上方から開口部を通じて接続部材の差込穴に差し込み、工具によって接続部材を押し出すことで、接続部材を足場板に対して容易にスライドさせることができる。
【００１４】
前記足場板が、前記開口部が形成された踏み板と、前記踏み板の両側縁部から垂れ下がった左右の側板と、を備え、前記接続部材を前記両側板の間に配置する場合がある。この場合には、前記接続部材の左右方向の幅を前記両側板の内面の間隔よりも小さくして、足場板の側板の内面と接続部材の側面との間に隙間を形成することが好ましい。
【００１５】
この構成では、接続部材に対して足場板を横方向に傾けることができるため、二枚の足場板を屈曲させて連結できる。これにより、複数の足場板を湾曲させて連結できる。
【発明の効果】
【００１６】
本発明では、二枚の足場板を上方から容易かつ確実に連結できるとともに、連続した複数の足場板から中間の一枚のみを撤去することができ、さらに、両足場板を略平坦に連結して、作業足場の安全性を高めることができる。
【図面の簡単な説明】
【００１７】
【図１】本発明の実施形態に係る連結構造を示した斜視図である。
【図２】本発明の実施形態に係る連結構造を示した分解斜視図である。
【図３】本発明の実施形態に係る連結構造を示した平面図である。
【図４】本発明の実施形態に係る連結構造を示した図で、図３のIV−IV断面図である。
【図５】本発明の実施形態に係る連結構造を示した図で、図３のV−V断面図である。
【図６】本発明の実施形態に係る連結構造において、二枚の足場板を屈曲させた状態を示した平面図である。
【図７】本発明の実施形態に係る足場板用連結具の変形例を示した平面図である。
【発明を実施するための形態】
【００１８】
本発明の実施形態について、適宜図面を参照しながら詳細に説明する。
本実施形態では、図１に示すように、シールドトンネルの施工現場において、複数の足場板５０をトンネルの長手方向に連結して作業足場を形成するときに、二枚の足場板５０，５０を連結するための足場板用連結具１および連結構造２について説明する。
【００１９】
足場板５０は、鋼製であり、図２に示すように、平板状の踏み板５１と、踏み板５１の左右の両縁部から垂直に垂れ下がった左右の側板５２，５２と、両側板５２，５２の下縁部から左右方向の内側に突出した左右の下板５３，５３と、を備えている。
【００２０】
踏み板５１には、複数の開口部５４が貫通している。開口部５４は、左右方向に延びている長孔である。各開口部５４は、所定の間隔で前後方向に並べられている。隣り合う開口部５４，５４の間には、左右方向に延びている仕切り部５５が形成されている。つまり、開口部５４と仕切り部５５とが前後方向に交互に並設されている。各開口部５４は、足場板５０の軽量化、採光および水捌けを目的として設けられている。
なお、踏み板５１の前縁部には、開口部５４の後半分が形成され、踏み板５１の後縁部には、開口部５４の前半分が形成されている。
【００２１】
仕切り部５５の上面には、複数の突出部５６が形成されている。突出部５６は、円形に突出した部位であり、作業者が足場板５０を歩くときの滑り止めとなる。
【００２２】
本実施形態では、図３に示すように、二枚の足場板５０，５０が前後方向に並べて配置されている。前側の足場板５０の後端部と、後側の足場板５０の前端部とは僅かに間隔を空けて突き合わされている。
前側の足場板５０の後縁部に形成された開口部５４の前半分と、後側の足場板５０の前縁部に形成された開口部５４の後半分とが連結されることで、一つの開口部５４が形成されている。
【００２３】
足場板用連結具１は、図２に示すように、二枚の足場板５０，５０を連結するための鋼製の部材である。足場板用連結具１は、接続部材１０と、二つの取付具２０，２０と、二本の取付ねじ３０，３０と、を備えている。
【００２４】
接続部材１０は、四角形の平板部１１と、平板部１１の左右の側縁部に連設された左右の側部１２，１２と、が形成されている。
平板部１１の前半分は、図５に示すように、前側の足場板５０の踏み板５１の下面側に配置されている。また、平板部１１の後半分は、後側の足場板５０の踏み板５１の下面側に配置されている。
【００２５】
接続部材１０の側部１２は、図４に示すように、平板部１１の側縁部に連設された折り曲げ部である。側部１２は、平板部１１の側縁部から斜め下方に傾斜した傾斜部と、傾斜部の外縁部から外側に向けて延びている下横部と、下横部の外縁部から上方に向けて延びている縦部と、縦部の上縁部から内側に向けて延びている上横部とが形成されている。側部１２は、軸断面がＣ形状となるように折り曲げられている。このように、接続部材１０に折り曲げ加工された左右の側部１２，１２を設けることで、接続部材１０の曲げ強度を高めている。
【００２６】
左側の側部１２は、足場板５０の踏み板５１と左側の下板５３との間に配置されている。また、右側の側部１２は、足場板５０の踏み板５１と右側の下板５３との間に配置されている。
【００２７】
接続部材１０の左右方向の幅は、足場板５０の左右の側板５２，５２の内面の間隔よりも僅かに小さく形成されている。したがって、足場板５０の側板５２の内面と、接続部材１０の側部１２の側面との間には隙間が形成されている。
また、接続部材１０の側部１２の高さは、足場板５０の踏み板５１の下面と下板５３の上面との間隔よりも僅かに小さく形成されている。
【００２８】
平板部１１の上面には、図２に示すように、前後二つのねじ穴１５，１５が開口している。ねじ穴１５は、平板部１１を貫通しており、内周面にねじ溝が形成されている。なお、ねじ穴１５は、平板部１１に貫通穴を形成し、その貫通穴に連通するように、平板部１１の下面にナットなどの雌ねじ部材を接合することで形成してもよい。
ねじ穴１５は、平板部１１の左右方向の中央部に形成されている。また、図３に示すように、前側のねじ穴１５を前側の足場板５０の開口部５４の直下に配置したときに、後側のねじ穴１５が後側の足場板５０の開口部５４の直下に配置されるように、両ねじ穴１５，１５の前後方向の間隔が設定されている。
【００２９】
平板部１１の上面には、図２に示すように、複数の差込穴１６が開口している。差込穴１６は平板部１１を貫通している。本実施形態では、平板部１１に五つの差込穴１６が形成されている。
平板部１１の中央部に形成された差込穴１６は、図３に示すように、両足場板５０，５０の間に形成された開口部５４の直下に配置されている。
ねじ穴１５と中央の差込穴１６との位置関係は、ねじ穴１５を足場板５０のいずれかの開口部５４の直下に配置したときに、中央の差込穴１６が足場板５０の他の開口部５４の直下に配置されるように設定されている。
【００３０】
中央の差込穴１６の前後には、差込穴１６が二つずつ配置されている。前側の二つの差込穴１６，１６は、平板部１１の左右方向の中央部を挟んで左右対象の位置に配置されている。また、前側の二つの差込穴１６，１６と、後側の二つの差込穴１６，１６とは、平板部１１の前後方向の中央部を挟んで前後対象の位置に配置されている。
【００３１】
五つの差込穴１６の位置関係は、中央の差込穴１６を開口部５４の直下に配置したときに、前側の両差込穴１６，１６および後側の両差込穴１６，１６が、足場板５０の仕切り部５５の直下に配置されるように設定されている。
【００３２】
取付具２０は、図１に示すように、足場板５０の踏み板５１の上面に重ねられる板状の部材である。取付具２０は、隣り合う二本の仕切り部５５，５５に跨って配置されている。取付具２０の前縁部および後縁部は、下方に向けて折り曲げられており、開口部５４に入り込んでいる。
取付具２０は、踏み板５１の左右方向の中央部に配置されている。取付具２０の左右方向の幅は、足場板５０の左右方向の幅に比べて非常に小さく形成されている。
【００３３】
取付具２０には、図５に示すように、足場板５０の突出部５６が嵌め込まれる嵌合穴２１が貫通している。本実施形態の取付具２０には、図１に示すように、前側の仕切り部５５の二つの突出部５６，５６が嵌め込まれる二つの嵌合穴２１，２１と、後側の仕切り部５５の二つの突出部５６，５６が嵌め込まれる二つの嵌合穴２１，２１とが形成されている。
【００３４】
取付具２０の中央部には、下方に向けて窪んだ窪み部２２が形成されている。窪み部２２は、図５に示すように、足場板５０の開口部５４に入り込んでおり、隣り合う二本の仕切り部５５，５５の間に挟まれている。窪み部２２の中央部には、図２に示すように、貫通穴２３が形成されている。
【００３５】
図５に示すように、取付具２０の嵌合穴２１に突出部５６が嵌め込まれるとともに、窪み部２２が開口部５４に入り込むことで、取付具２０が踏み板５１の上面に位置決めされている。
【００３６】
取付具２０の嵌合穴２１に突出部５６が入り込むことで、取付具２０は突出部５６の上端部よりも低い位置に配置されることになる。つまり、取付具２０は、踏み板５１の上面に形成された滑り止め用の各突出部５６よりも低い位置に配置されている。
【００３７】
取付ねじ３０は、ねじ溝が形成された軸部３１と、軸部３１よりも拡径された頭部３２と、を有する公知の雄ねじ部材である。
取付ねじ３０の軸部３１は、取付具２０の貫通穴２３（図２参照）に上方から挿通されている。取付ねじ３０の頭部３２は、窪み部２２の上面に係合されている。頭部３２は、取付具２０の窪み部２２内に収容されており、取付具２０の上面よりも低い位置に配置されている。
【００３８】
取付ねじ３０の軸部３１は、図２に示すように、踏み板５１の開口部５４を通じて、接続部材１０のねじ穴１５に螺合されている。これにより、図５に示すように、踏み板５１の二本の仕切り部５５，５５が取付具２０と接続部材１０との間に挟まれており、取付具２０および接続部材１０が足場板５０に固定されている。
【００３９】
次に、本実施形態の足場板用連結具１を用いて二枚の足場板５０，５０を連結する手順について説明する。
まず、図２に示す後側の足場板５０の前方に接続部材１０を配置し、接続部材１０を後方に移動させて、接続部材１０を踏み板５１の下面側に移動させる。このとき、接続部材１０の左右の側部１２，１２は、踏み板５１と下板５３との間に挿入する。これにより、接続部材１０の両側部１２，１２が足場板５０に支持され、接続部材１０は、足場板５０の長手方向（前後方向）にスライド可能となる。そして、接続部材１０全体を後側の足場板５０の踏み板５１の下面側に配置する。
【００４０】
続いて、図３に示すように、後側の足場板５０の前側に足場板５０を配置し、前側の足場板５０の後端部と後側の足場板５０の前端部とを突き合わせる。
その後、接続部材１０を前方にスライドさせ、接続部材１０の前半分を前側の足場板５０の踏み板５１の下面側に配置し、接続部材１０の後半分を後側の足場板５０の踏み板５１の下面側に配置する。
【００４１】
接続部材１０をスライドさせるときには、棒状の工具の先端部を足場板５０の上方から開口部５４を通じて接続部材１０の中央の差込穴１６に差し込む。そして、工具によって接続部材１０を押し出すことで、接続部材１０を足場板５０に対してスライドさせることができる。
このとき、開口部５４に露出していた差込穴１６が移動して仕切り部５５の下方に隠れると、他の差込穴１６が開口部５４に露出するため、順次に異なる差込穴１６を利用して接続部材１０をスライドさせることができる。
【００４２】
接続部材１０の前後のねじ穴１５，１５が前後の足場板５０，５０の開口部５４，５４の直下に配置されるように、両足場板５０，５０に対して接続部材１０を配置する。
そして、図５に示すように、前後の足場板５０，５０の踏み板５１，５１の上面にそれぞれ取付具２０，２０を載置する。
【００４３】
その後、図２に示すように、取付具２０の貫通穴２３に上方から取付ねじ３０を挿通し、取付ねじ３０を接続部材１０のねじ穴１５に螺合させることで、図１に示すように、接続部材１０を二枚の足場板５０，５０に固定する。これにより、本実施形態の足場板用連結具１を用いて二枚の足場板５０，５０を連結した連結構造２が形成される。
【００４４】
また、二枚の足場板５０，５０を分離させる場合には、前後の足場板５０，５０から取付ねじ３０および取付具２０を取り外す。そして、接続部材１０を前方または後方にスライドさせ、接続部材１０全体を片方の足場板５０の踏み板５１の下面側に移動させる。これにより、図２に示すように、二つの足場板５０，５０が分離した状態となる。
なお、接続部材１０をスライドさせるときには、二枚の足場板５０，５０を連結するときと同様に、棒状の工具を差込穴１６に差し込んで接続部材１０を押し出す。
【００４５】
以上のような本実施形態の足場板用連結具１および連結構造２では、図５に示すように、接続部材１０が二枚の足場板５０，５０の下面側に跨って配置されている。そして、取付具２０および取付ねじ３０によって両足場板５０，５０に接続部材１０に固定することで、両足場板５０，５０を上方から容易かつ確実に連結できる。そして、接続部材１０が二枚の足場板５０，５０に跨って配置されているため、足場板５０が連結部において上下方向に動くのを防ぐことができる。
また、取付具２０および取付ねじ３０を接続部材１０から取り外し、接続部材１０を片方の足場板５０側にスライドさせることで、両足場板５０，５０を容易に分離できる。これにより、連続した複数の足場板５０から中間の一枚のみを撤去できる。
【００４６】
本実施形態の足場板用連結具１および連結構造２では、足場板５０の平板部１１の上面に配置された取付具２０が小さいため、両足場板５０，５０を略平坦に連結できる。これにより、作業者が作業足場を通行するときの安全性を高めることができる。
【００４７】
本実施形態の足場板用連結具１および連結構造２では、図３に示すように、棒状の工具の先端部を足場板５０の上方から開口部５４を通じて接続部材１０の差込穴１６に差し込むことができる。そして、図６に示すように、工具によって接続部材１０を押し出すことで、接続部材１０を足場板５０に対して容易にスライドさせることができる。
【００４８】
本実施形態の接続部材１０には、中央の差込穴１６と、中央の差込穴１６に対して前後左右に配置された四つの差込穴１６とが形成されている。このように、複数の差込穴１６を一方向に並べることなく分散させることで、接続部材１０の強度低下を抑えている。
【００４９】
本実施形態の足場板用連結具１および連結構造２では、図３に示すように、足場板５０の側板５２の内面と、接続部材１０の側部１２の側面との間に隙間が形成されている。したがって、図６に示すように、接続部材１０に対して両足場板５０，５０を左右方向に傾けることができるため、両足場板５０，５０を屈曲させて連結できる。これにより、複数の足場板５０を湾曲させて連結できるため、湾曲している作業現場に合わせて、作業足場を湾曲させることができる。
【００５０】
以上、本発明の実施形態について説明したが、本発明は前記実施形態に限定されることなく、その趣旨を逸脱しない範囲で適宜に変更が可能である。
本実施形態の接続部材１０では、図４に示すように、平板部１１の左右に上向きに折り曲げた側部１２，１２が形成されているが、側部１２の形状は限定されるものではなく、例えば、下向きに折り曲げてもよい。更には、接続部材１０に折り曲げた側部を設けることなく、接続部材１０全体を平坦に形成してもよい。
【００５１】
本実施形態の接続部材１０には、図２に示すように、五つの差込穴１６が形成されているが、差込穴１６の数は限定されるものではない。なお、接続部材１０に差込穴１６を設けなくてもよい。
本実施形態の接続部材１０には、二つのねじ穴１５，１５が形成されているが、ねじ穴１５の数は限定されるものではなく、例えば、三つ以上のねじ穴１５を形成し、三つの取付具２０を設けてもよい。
【００５２】
本実施形態の取付具２０には、足場板５０の突出部５６が嵌め込まれる四つの嵌合穴２１が形成されているが、嵌合穴２１の数は限定されるものではない。なお、取付具２０に嵌合穴２１を設けなくてもよい。
【００５３】
本実施形態の足場板用連結具１では、接続部材１０に二つのねじ穴１５，１５を形成し、二つの取付具２０，２０を前後の足場板５０，５０の上面にそれぞれ配置している。しかしながら、図７に示す足場板用連結具１Ａのように、接続部材１０に一つねじ穴１５を形成し、一つの取付具２０を前後の足場板５０，５０の仕切り部５５，５５の上面に跨って配置してもよい。そして、取付ねじ３０を両足場板５０，５０の間の開口部５４を通じて、ねじ穴１５に螺合させることで、両足場板５０，５０を連結できる。
【００５４】
本発明の足場板用連結具および連結構造を適用可能な足場板は限定されるものではなく、足場板の下面側に接続部材をスライド可能に取り付けることができるのであれば、各種公知の足場板に本発明の足場板用連結具および連結構造を適用可能である。
【符号の説明】
【００５５】
１      足場板用連結具
２      連結構造
１０    接続部材
１１    平板部
１２    側部
１５    ねじ穴
１６    差込穴
２０    取付具
２１    嵌合穴
２２    窪み部
２３    貫通穴
３０    取付ねじ
３１    軸部
３２    頭部
５０    足場板
５１    踏み板
５２    側板
５３    下板
５４    開口部
５５    仕切り部
５６    突出部
【図１】
2020084594.tif 000003
【図２】
2020084594.tif 000004
【図３】
2020084594.tif 000005
【図４】
2020084594.tif 000006
【図５】
2020084594.tif 000007
【図６】
2020084594.tif 000008
【図７】
2020084594.tif 000009